(57)【要約】【課題】色温度を確実に調整することのできる積層型蛍光体シートおよびそれを備えた照明装置を提供する。【解決手段】本発明の照明装置は、蛍光体シート２３ａ，２３ｂ，２３ｃが積層された積層型蛍光体シート２２を備えている。積層型蛍光体シート２２は、光源モジュール２１の光路上を移動し、蛍光体シート２３ａ，２３ｂ，２３ｃの積層数に応じて、積層型蛍光体シート２２から出射される光の色度が設定されている。【選択図】図１
2012221763.tif 000002
【特許請求の範囲】
【請求項１】
蛍光体が分散され、透過した光の色度を変換する蛍光体シートが複数積層された積層型蛍光体シートであって、
光が透過する複数の領域毎に異なる枚数の前記蛍光体シートが積層されていることを特徴とする積層型蛍光体シート。
【請求項２】
積層された複数の前記蛍光体シートは、互いに密着していることを特徴とする請求項１に記載の積層型蛍光体シート。
【請求項３】
積層された複数の前記蛍光体シートの屈折率が同一であることを特徴とする請求項１または２に記載の積層型蛍光体シート。
【請求項４】
基材上に設けられていることを特徴とする請求項１〜３のいずれか１項に記載の積層型蛍光体シート。
【請求項５】
上記基材は、透明であることを特徴とする請求項４に記載の積層型蛍光体シート。
【請求項６】
上記基材は、蛍光体シートが積層されない領域を有することを特徴とする請求項４または５に記載の積層型蛍光体シート。
【請求項７】
請求項１〜６のいずれか１項に記載の積層型蛍光体シートと、光源とを備え、
上記積層型蛍光体シートが、光源から出射される光の光路上に設けられていることを特徴とする照明装置。
【請求項８】
前記複数の領域の何れかから前記光源の出射光が透過する領域を選択可能にすべく、上記積層型蛍光体シートと前記光源との相対位置を移動させる移動部を備えることを特徴とする請求項７に記載の照明装置。
【発明の詳細な説明】
【技術分野】
【０００１】
本発明は、部分的に積層数の異なる積層型蛍光体シート、および、その積層型蛍光体シートを備えた照明装置に関する。
【背景技術】
【０００２】
ＬＥＤ（発光ダイオード）は、長寿命、低消費電力といった利点を有するため、照明装置の光源として採用されつつある。ＬＥＤを光源とする各種照明装置は、地球に優しい次世代の省エネルギー照明として注目されている。
【０００３】
ＬＥＤの発光光自体は、青や緑の単色光であるため、照明装置の光源としてＬＥＤを使用するためには、ＬＥＤの発光光を白色化することが必要である。
【０００４】
例えば、特許文献１には、ＬＥＤからの光の色度を制御する色変換体を備えた照明装置が開示されている。図１１は、特許文献１の照明装置に設けられた色変換体１０３を示す平面図である。色変換体１０３は、円形状の透明フィルム１０３ａの外周に、透過領域１０３ｃ、第１の蛍光層１０３ｄ、第２の蛍光層１０３ｅの各領域が部分的に印刷されている。第１の蛍光層１０３ｄと第２の蛍光層１０３ｅとには、互いに異なる濃度の赤色蛍光体が設けられている。これにより、色変換体１０３を回転させて、ＬＥＤの直上に配置させることにより、ＬＥＤからの光の色度が制御される。例えば、第１の蛍光層１０３ｄがＬＥＤの直上に配置されると暖色系の白色光が発光し、第２の蛍光層１０３ｅがＬＥＤの直上に配置されると青緑に近い色が発光し、ＬＥＤの直上に透過領域１０３ｃが配置されると寒色系の白色光が発光する。
【先行技術文献】
【特許文献】
【０００５】
【特許文献１】特開２０１０−２１００６号公報（２０１０年１月２８日公開）
【発明の概要】
【発明が解決しようとする課題】
【０００６】
しかしながら、特許文献１の照明装置では、光の色度を制御することが困難であるという問題がある。
【０００７】
具体的には、特許文献１の照明装置において、光源からの光の色度を制御するためには、第１の蛍光層１０３ｄと第２の蛍光層１０３ｅとで、蛍光体の濃度を変える必要がある。しかし、蛍光体は沈降しやすいため、蛍光体の濃度を所望の濃度に正確に調節することは非常に困難である。このため、第１の蛍光層１０３ｄおよび第２の蛍光層１０３ｅは、目的とする蛍光体濃度からずれやすい。つまり、蛍光層を透過する光は目的とする色度からずれやすい。このように、第１の蛍光層１０３ｄおよび第２の蛍光層１０３ｅを用いて、色度を制御することは極めて困難である。
【０００８】
そこで、本発明は、上記従来の問題点に鑑みてなされてものであり、その目的は、透過する光の色度を正確に調整することのできる積層型蛍光体シートおよびそれを備えた照明装置を提供することにある。
【課題を解決するための手段】
【０００９】
本発明に係る積層型蛍光体シートは、上記の課題を解決するために、蛍光体が分散され、透過した光の色度を変換する蛍光体シートが複数積層された積層型蛍光体シートであって、光が透過する複数の領域毎に異なる枚数の前記蛍光体シートが積層されていることを特徴とする積層型蛍光体シート。
【００１０】
上記の発明によれば、積層型蛍光体シートは、複数の蛍光体シートが積層されて構成されており、光が透過する複数の領域毎に、異なる枚数の蛍光体シートが積層されている。つまり、蛍光体シートの積層数が部分的に異なっている。これにより、蛍光体シートの積層方向に光が入射すると、蛍光体シートの積層数によって、入射した光が積層型蛍光体シート内を進む距離が異なる。その結果、蛍光体シートの積層数が多い部分ほど（厚い部分ほど）、入射した光が蛍光体と接触する機会が増える。
【００１１】
上記の発明によれば、このような蛍光体シートの積層数（つまり蛍光体シートの厚さ）を調整することによって、蛍光体シートの積層方向に出射される光の色度（色温度，光色）が設定される。これにより、積層型蛍光体シートから出射される光の色度を調節するために、蛍光体シートの積層数のみを調整すればよく、各蛍光体シートに分散される蛍光体濃度を管理する必要がない。つまり、沈降しやすいため所望の濃度に正確に調整することが困難な蛍光体濃度を調節する必要がない。従って、出射される光の色度を正確に調整することができる。
【００１２】
本発明に係る積層型蛍光体シートにおいて、積層された複数の前記蛍光体シートは、互いに密着していることが好ましい。
【００１３】
上記の発明によれば、各蛍光体シートが互いに密着しているため、蛍光体シート間には空気が存在しない。これにより、積層型蛍光体シートに入射した光が、蛍光体シート間の空気によって損失されない。従って、積層型蛍光体シートを透過する光の利用効率の低減を防止することができる。
【００１４】
本発明に係る積層型蛍光体シートにおいて、積層された複数の前記蛍光体シートの屈折率が同一であることが好ましい。
【００１５】
上記の発明によれば、積層型蛍光体シートが、同一の屈折率を有する蛍光体シートを積層して構成されている。これにより、積層型蛍光体シートに入射した光は、積層型蛍光体シートから出射するまでの間に、損失されない。従って、積層型蛍光体シートを透過する光の利用効率の低減を防止することができる。
【００１６】
本発明に係る積層型蛍光体シートは、基材上に設けられていてもよい。
【００１７】
上記の発明によれば、積層型蛍光体シートは、基材上に設けられている。従って、積層型蛍光体シートの強度を高めることができる。
【００１８】
本発明に係る積層型蛍光体シートにおいて、上記基材は、透明であることが好ましい。
【００１９】
上記の発明によれば、蛍光体シートが、透明基材上に設けられている。従って、積層型蛍光体シートへの光の入射または出射が、基材によって遮蔽されない。
【００２０】
本発明に係る積層型蛍光体シートにおいて、上記基材は、蛍光体シートが積層されない領域を有していてもよい。
【００２１】
上記の発明によれば、積層型蛍光体シートに、蛍光体シートが積層されない領域が形成される。従って、蛍光体シートが積層されない領域では、積層型蛍光体シートに入射した光の色度を変えずに、そのままの光を出射させることができる。
【００２２】
本発明に係る照明装置は、上記の課題を解決するために、前記いずれかの積層型蛍光体シートと、光源とを備え、上記積層型蛍光体シートが、光源から出射される光の光路上に設けられていることを特徴としている。
【００２３】
上記の発明によれば、光源から出射される光の光路上に積層型蛍光体シートを備えている。従って、光源から出射される光の色度を正確に調整することができる。
【００２４】
本発明に係る照明装置において、前記複数の領域の何れかから前記光源の出射光が透過する領域を選択可能にすべく、上記積層型蛍光体シートと前記光源との相対位置を移動させる移動部を備えることが好ましい。
【００２５】
上記の発明によれば、移動部を備えるため、積層型蛍光体シートと光源との相対位置を移動させて、光源の出射光が透過する領域を選択し、蛍光体シートの積層数に応じた色度を実現することができる。
【発明の効果】
【００２６】
以上のように、本発明によれば、透過する光の色度を確実に調整することのできる積層型蛍光体シートおよびそれを備えた照明装置を提供することができるという効果を奏する。
【図面の簡単な説明】
【００２７】
【図１】本発明の照明装置における積層型蛍光体シートと光源モジュールとの配置状態を示す断面図である。
【図２】本発明の照明装置を示す斜視図である。
【図３】本発明の照明装置にける発光部（積層型蛍光体シートを除く）を示す斜視図である。
【図４】本発明の照明装置にける発光部（積層型蛍光体シートを含む）を示す斜視図である。
【図５】本発明の照明装置における発光部および口金を示す断面図である。
【図６】本発明の照明装置における積層型蛍光体シートを示す図である。
【図７】本発明の照明装置における別の積層型蛍光体シートを示す図であり、（ａ）は平面図、（ｂ）は（ａ）におけるＡ−Ａ矢視断面図、（ｃ）は（ａ）におけるＢ−Ｂ矢視断面図である。
【図８】本発明の照明装置における別の積層型蛍光体シートを示す平面図である。
【図９】本発明の別の照明装置を示す図であり、（ａ）は斜視図であり、（ｂ）は平面図である。
【図１０】図９の照明装置の一部を拡大した図であり、（ａ）は図９の（ａ）の一部を拡大した斜視図であり、（ｂ）は図９の（ｂ）の一部を拡大した平面図である。
【図１１】特許文献１の照明装置に設けられた色変換体を示す平面図である。
【発明を実施するための形態】
【００２８】
以下、本発明の一実施形態について図面に基づいて説明する。図２は、本発明に係る照明装置１０の斜視図である。図２のように、照明装置１０は、グローブカバー１と、光源としてＬＥＤを備える発光部２と、口金３とが、この順に配置された構成である。以下の説明では、便宜上、グローブカバー１１側を上側（上方）、口金３側を下側（下方）として説明する。
【００２９】
グローブカバー１は、ドーム形状であり、内部に発光部２に設けられた光源（光源モジュール）が収容される。グローブカバー１は、光源が発する光を透光させる機能と、発光部２を覆うことによって発光部２（特に光源）を保護する機能とを有する。グローブカバー１は、例えば、透明または光拡散性を有するガラスや合成樹脂などから形成することができる。ＬＥＤは点灯時の発熱量が比較的多いため、グローブカバー１は、耐熱性材料から形成することが好ましい。例えば、乳白色のポリカーボネート樹脂は、耐衝撃性、耐熱性、光拡散性に優れているため、グローブカバー１１の構成材料として好適である。
【００３０】
発光部２は、照明装置１０の本体部である。発光部２の一方の端部（上端）には、グローブカバー１が装着され、他方の端部（下端）には口金３が装着されている。図３は、照明装置１０にける発光部２（積層型蛍光体シートを除く）を示す斜視図である。図４は、照明装置１０にける発光部２（積層型蛍光体シートを含む）を示す斜視図である。図５は、照明装置１０における発光部２および口金３を示す断面図である。
【００３１】
図３に示すように、発光部２の上端面には、光源としてＬＥＤを備えた光源モジュール２１が実装されている。さらに、図４に示すように、この光源モジュール２１の光路上には、積層型蛍光体シート２２が設けられている。つまり、光源モジュール２１は、積層型蛍光体シート２２によって覆われている。さらに、発光部２は、帯状の積層型蛍光体シート２２を、発光部２の上端面内で移動させる移動手段（移動部）を備えている。具体的には、本実施形態の照明装置１０では、積層型蛍光体シート２２と光源モジュール２１との相対位置を移動させる移動手段として、ロータリーソレノイド２４を備えている。ロータリーソレノイド２４は、光源モジュール２１を跨いで設けられている。これにより、ロータリーソレノイド２４は、積層型蛍光体シート２２を巻取り、積層型蛍光体シート２２をその長手方向（図中両矢印で示す方向）に移動させる。これにより、積層型蛍光体シート２２における光源モジュール２１の出射光が透過する領域を任意に選択することが可能となる。積層型蛍光体シート２２の詳細は、後述する。
【００３２】
なお、本実施形態では、移動手段としてロータリーソレノイド２４を備えているが、これに限定されるものではない。また、移動手段は、積層型蛍光体シート２２を手動で移動させる構成であってもよい。さらに、移動手段は、光源モジュール２１を移動させてもよい。つまり、移動手段は、光源モジュール２１と積層型蛍光体シート２２との相対位置を変動させるようになっていればよい。
【００３３】
一方、図５に示すように、発光部２の内部には、電源モジュール２５が設けられている。電源モジュール２５は、光源モジュール２１に、電力を供給する電源回路部である。また、電源モジュール２５は、ＬＥＤの点灯状態（発光量等）を制御する制御回路部でもある。なお、図示しないが、発光部２の内部には、ＬＥＤの点灯制御、調光、または調色するための電子部品（回路部品）が設けられている。
【００３４】
照明装置１０は、ＬＥＤを光源としているため、発熱量が比較的多い。このため、発光部２の外装部は、熱伝導性の良好な金属から構成することが好ましい。例えば、発光部２の外装部は、アルミニウム（Ａｌ）、銅（Ｃｕ）、鉄（Ｆｅ）、ニッケル（Ｎｉ）等の金属またはこれらの合金から構成することが好ましい。また、窒化アルミニウム（ＡｌＮ）、シリコーンカーバイト（ＳｉＣ）などの工業材料から構成しても、高熱伝導樹脂等の合成樹脂で構成してもよい。これにより、発光部２は、光源モジュール２１および電源モジュール２５から発生する熱を、外部に効果的に放熱することができる。
【００３５】
口金３は、外部接続用の金具であり、例えば、一般的なＥ２６型の金具である。すなわち、口金３は、外部電源（図示せず）からの電力を、電源モジュール２５に供給する。口金３の内側面には、発光部２の外側面に形成されたねじ山に係合するねじ山が形成されている。これにより、発光部２が螺合して接続される。つまり、口金３の内側面に形成されたねじ山は、口金３を発光部２に螺合して接続するための螺合機構である。口金３の外側面にもねじ山が形成されている。これにより、照明装置１０が天井等に設けられたソケットに螺合して装着可能となっている。
【００３６】
このような構成により、照明装置１０は、口金３を商用電源（外部電源）のソケット等に螺合して取り付けられると、口金３に接続された電線（図示せず）を介して電源モジュール２５に電圧が供給される。そして、電源モジュール２５を介してＬＥＤ（光源モジュール２１）に、適切な電圧が供給され、ＬＥＤが点灯する。ＬＥＤからの光は、グローブカバー１を透過すると共にグローブカバー１で拡散される。これにより、グローブカバー１の略全体が明るくなり、略均一な輝度の光が外部に出射される。照明装置１０は、ＬＥＤを光源として備えるため、長寿命および低消費電力を実現することができる。
【００３７】
ここで、照明装置１０の特徴点について説明する。照明装置１０は、ＬＥＤの色度の調整を、積層型蛍光体シート２２を用いて実現することを最大の特徴としている。図１は照明装置１０における積層型蛍光体シート２２と光源モジュール２１との配置状態を示す断面図である。図６は、照明装置１０における積層型蛍光体シート２２を示す図であり、上段が平面図であり、下段が断面図である。
【００３８】
図６に示すように、積層型蛍光体シート２２は、３枚の蛍光体シート２３ａ，２３ｂ，２３ｃが積層されたものである。各蛍光体シート２３ａ，２３ｂ，２３ｃは、透過した光の色度を変換する蛍光体が所定濃度分散されている。積層型蛍光体シート２２は、光が透過する複数の領域毎に異なる枚数の蛍光体シート２３ａ，２３ｂ，２３ｃが積層されている。つまり、蛍光体シート２３ａ，２３ｂ，２３ｃの積層数が部分的に異なっている。具体的には、図６では、Ｘ領域はは蛍光体シート２３ａのみ（１層）であり、Ｙ領域は蛍光体シート２３ａ，２３ｂ（２層）であり、Ｚ領域は蛍光体シート２３ａ，２３ｂ，２３ｃ（３層）である。積層型蛍光体シート２２は、このような蛍光体シート２３ａ，２３ｂ，２３ｃの積層数に応じて、蛍光体シート２３ａ，２３ｂ，２３ｃの積層方向に出射されて積層型蛍光体シート２２を透過する光の色度が設定されている。
【００３９】
図１に示すように、積層型蛍光体シート２２は、光源モジュール２１と離間して設けられている。さらに、積層型蛍光体シート２２は、上述したロータリーソレノイド２５によって、水平方向（図中矢印方向）、つまり光源モジュール２１の光出射方向に対して垂直な方向に移動される。図１では、光源モジュール２１の真上に、蛍光体シート２３ａ，２３ｂ（２層）の領域であるＹ領域が配置されている。
【００４０】
このように、積層型蛍光体シート２２は、蛍光体シート２３ａ，２３ｂ，２３ｃが積層されて構成されており、蛍光体シート２３ａ，２３ｂ，２３ｃの積層数が部分的に異なっている。これにより、蛍光体シート２３ａ，２３ｂ，２３ｃの積層方向に光が入射すると、蛍光体シート２３ａ，２３ｂ，２３ｃの積層数によって、入射した光が積層型蛍光体シート２２内を進む距離が異なる。その結果、蛍光体シート２３ａ，２３ｂ，２３ｃの積層数が多い部分ほど（厚い部分ほど）、入射した光が蛍光体と接触する機会が増える。つまり、光源モジュール２１からの光が積層型蛍光体シート２２に入射すると、Ｘ領域、Ｙ領域、Ｚ領域の順に、出射するまでの距離が長くなる。その結果、各蛍光体シート２３ａ，２３ｂ，２３ｃの蛍光体と接触する機会の多さは、Ｚ領域＞Ｙ領域＞Ｘ領域となる。
【００４１】
照明装置１０では、このような光源モジュール２１から出射される光が透過する蛍光体シート２３ａ，２３ｂ，２３ｃの積層数（つまり蛍光体シート２３ａ，２３ｂ，２３ｃの厚さ）を調整することによって、蛍光体シート２３ａ，２３ｂ，２３ｃの積層方向に出射される光の色度が設定される。これにより、積層型蛍光体シート２２から出射される光（光源モジュール２１からの光）の色度を調節するために、蛍光体シートの積層数のみを調整すればよく、各蛍光体シートに分散される蛍光体の濃度を管理する必要がない。つまり、沈降しやすいため所望の濃度に正確に調整することが困難な蛍光体濃度を調節する必要がない。従って、出射される光の色度を正確に調整することができる。
【００４２】
しかも、蛍光体シート２３ａ，２３ｂ，２３を重ねるだけでよいため、積層型蛍光体シート２２の形成が簡単である。従って、出射される光の色度（色温度，光色）を正確に調整することができる。例えば、光源モジュール２１のＬＥＤを、青色ＬＥＤからの光により黄色蛍光体を励起して白色の光を出射するＬＥＤとした場合、１層構造のＸ領域では３層構造のＺ領域よりＬＥＤ自体からの青色光の割合が高く蛍光体により励起される黄色光の割合が低くなるため色度が高くなり、３層構造のＺ領域では１層構造のＸ領域より黄色光の割合が高くなるため出射される光の色度が低くなる。このように、積層型蛍光体シート２２は、蛍光体シート２３ａ，２３ｂ，２３の積層枚数に応じて、積層型蛍光体シート２２から出射される光の色度を正確に調整することができる。
【００４３】
また、積層型蛍光体シート２２は、蛍光体シート２３ａ，２３ｂ，２３の積層数によって、ＬＥＤから出射される光の色度を調整する。このため、ＬＥＤを点灯させたまま、特定の色度に変更することができる。従って、色度を調整するために、例えば色温度の異なる複数種類のＬＥＤ（例えば昼白色のＬＥＤと電球色のＬＥＤ）を用いて、該複数種類のＬＥＤに流す電流量の比率を調整するという制御をする必要がない。色温度の異なる複数種類のＬＥＤを用い場合、昼白色で発光する場合には電球色のＬＥＤを点灯せず、電球色で発光させる場合には昼白色のＬＥＤを点灯させないため、使用しないＬＥＤが存在する分ＬＥＤの個数が増大する。本発明においては、常時全てのＬＥＤに電流を流した状態で、色温度を調整することができる。従って、ＬＥＤの数が減らすことができ、コストダウンにつながる。しかも、上記電流量の比率を調整するという複雑な制御をする必要がなく、光源モジュールの電流制御を簡略化することができる。また、複数の蛍光体シートを積層して一体に形成した単一のシートであるため、１つの移動手段のみで積層型蛍光体シート２２を移動させることが可能であり、移動手段を複数備える必要もない。
【００４４】
Ｘ領域、Ｙ領域、Ｚ領域の各領域を透過する光の色温度は、蛍光体シート２３ａ，２３ｂ，２３ｃの積層数を変化させて任意に設定すればよく、特に限定されるものではない。例えば、各領域を透過する光の色温度は、例えば電球色（約３０００Ｋ）、温白色（約３５００Ｋ）、白色（約４２００Ｋ）、昼白色（約５０００Ｋ）、昼光色（約６５００Ｋ）の中から、任意に設定することができる。実用的な一例としては、Ｘ領域を透過する光を昼光色、Ｙ領域を透過する光を昼白色、Ｚ領域を透過する光を電球色に設定することができる。
【００４５】
なお、図１のように、Ｘ領域、Ｙ領域、Ｚ領域の各領域の中央部に光源モジュール２１が配置されていれば、積層型蛍光体シート２２を透過する光は、各領域に設定された色度に調節される。一方、各領域の境界付近に光源モジュール２１が配置されていれば、各領域を透過する光の色度を混合した色度を実現することができる。
【００４６】
なお、各蛍光体シート２３ａ，２３ｂ，２３ｃは、所定濃度の蛍光体を含んでおり、蛍光体濃度は略均一である。一方、蛍光体シート２３ａ，２３ｂ，２３ｃ間の蛍光体濃度は、同一であっても、異なっていてもよい。
【００４７】
積層型蛍光体シート２２において、積層された複数の蛍光体シート２３ａ，２３ｂ，２３ｃは、互いに密着していることが好ましい。つまり、各蛍光体シート２３ａ，２３ｂ，２３ｃは、直接または間接的に接していることが好ましい。例えば、各蛍光体シート２３ａ，２３ｂ，２３ｃは、透明な接着剤によって互いに接着されていることが好ましい。例えば、接着剤は、熱硬化性樹脂、光硬化性樹脂等を用いることができる。なお、蛍光体シート２３ａ，２３ｂ，２３ｃ自身を溶かして、互いに密着していてもよい。
【００４８】
このように、各蛍光体シートが２３ａ，２３ｂ，２３ｃ互いに密着していれば、蛍光体シート２３ａ，２３ｂ，２３ｃ間には空気が存在しない。これにより、積層型蛍光体シート２２に入射した光が、蛍光体シート２３ａ，２３ｂ，２３ｃ間の空気によって損失されない。従って、積層型蛍光体シート２２を透過する光の利用効率の低減を防止することができる。
【００４９】
また、積層された複数の蛍光体シート２３ａ，２３ｂ，２３ｃは、同一の屈折率を有することが好ましい。つまり、積層型蛍光体シート２２は、同一の屈折率を有する蛍光体シート２３ａ，２３ｂ，２３ｃを積層して構成されていることが好ましい。また、各蛍光体シート２３ａ，２３ｂ，２３ｃを接着する接着剤は、蛍光体シート２３ａ，２３ｂ，２３ｃと同一の屈折率を有することが好ましい。これにより、積層型蛍光体シート２２に入射した光は、積層型蛍光体シート２２から出射するまでの間に、損失されない。従って、積層型蛍光体シート２２を透過する光の利用効率の低減を防止することができる。
【００５０】
なお、各蛍光体シート２３ａ，２３ｂ，２３ｃの屈折率を同一にする方法は、特に限定されるものではない。例えば、同一材料からなる蛍光体シート２３ａ，２３ｂ，２３ｃを用いてもよいし、異なる材料から蛍光体シート２３ａ，２３ｂ，２３ｃが形成されている場合には、屈折率が同一の材料から形成されていればよい。
【００５１】
図１の積層型蛍光体シート２２は、光源モジュール２１の光出射方向に対して垂直な面上において、積層型蛍光体シート２２の長手方向の一軸上の一方向にのみに移動するようになっている。しかし、積層型蛍光体シート２２の移動方向は、上記一軸方向のみに限定されるものではない。図７は、照明装置１０における別の積層型蛍光体シート２２ａを示す図であり、（ａ）は平面図、（ｂ）は（ａ）におけるＡ−Ａ矢視断面図、（ｃ）は（ａ）におけるＢ−Ｂ矢視断面図である。図７の積層型蛍光体シート２２ａは、光源モジュール２１の光出射方向に対して垂直な面上において、矢印Ｈで示す一方向、および、該一方向に対して垂直な他方向（矢印Ｈで示す方向に対して垂直な矢印Ｖで示す方向）の、二軸上を移動できるようになっている。この積層型蛍光体シート２２ａも、積層型蛍光体シート２２と同様の効果が得られる。
【００５２】
さらに、図７のように、積層型蛍光体シート２２ａが、光源モジュール２１の光出射方向に対して垂直な面上において矢印Ｈ方向および矢印Ｖ方向（図７の紙面おける水平方向および垂直方向）に移動できる場合、積層型蛍光体シート２２ａの形状（構成）を変更することもできる。
【００５３】
具体的には、図１の積層型蛍光体シート２２は、蛍光体シート２３ａ，２３ｂ，２３ｃから構成されている。これに対し、図７の積層型蛍光体シート２２ａは、光源モジュール２１に最も近い蛍光体シート２３ａ（一番下の蛍光体シート２３ａ）が、透明シート（基材）２６上に設けられている。さらに、蛍光体シート２３ａ上に、蛍光体シート２３ｂ、蛍光体シート２３ｃが、この順に厚さ方向に積層されている。このように、積層型蛍光体シート２２ａは、透明シート２６上に設けられた蛍光体シート２３ａを有している。従って、積層型蛍光体シート２２ａは、積層型蛍光体シート２２よりも強度を高めることができる。また、蛍光体シート２３ａが、透明シート２６上に設けられているため、積層型蛍光体シート２２ａへの光の入射が、透明シート２６によって遮蔽されない。
【００５４】
さらに、図７の積層型蛍光体シート２２ａは、積層型蛍光体シート２２ａは、上述した３つの領域（Ｘ領域、Ｙ領域、Ｚ領域）に加え、Ｔ領域を有している。Ｔ領域は、蛍光体シート２３ａ，２３ｂ，２３ｃが積層されていない領域である。Ｔ領域は、透明シート２６が露出した領域である。
【００５５】
具体的には、図７の（ａ）のように、Ｘ領域、Ｙ領域、Ｚ領域、Ｔ領域は、縦横２列に配置されている。また、光源モジュール２１は、Ｘ領域の下方に配置されている。さらに、図７の（ｂ）のように、Ｚ領域は、蛍光体シート２３ａ，２３ｂ，２３ｃ、および透明シート２６（４層）であり、Ｔ領域は、透明シート２６のみ（１層）である。また、図７の（ｃ）のように、Ｙ領域は、蛍光体シート２３ａ，２３ｂ、および透明シート２６（３層）であり、Ｚ領域は、蛍光体シート２３ａ、透明シート２６（２層）である。
【００５６】
このように、積層型蛍光体シート２２ａでは、蛍光体シート２３ａ，２３ｂ，２３ｃが積層されないＴ領域が形成される。従って、Ｔ領域では、積層型蛍光体シート２２ａに入射した光の色度を変えずに、そのままの光を出射させることができる。なお、Ｔ領域は、蛍光体シート２３ａ，２３ｂ，２３ｃも透明シート２６も存在しない領域であってもよい。この場合、ＬＥＤの光をそのまま出射させることができる。また、図７の（ａ）のように、積層型蛍光体シート２２ａを、矢印Ｈ方向または矢印Ｖ方向に移動させることによって、光源モジュール２１と各領域との配置状態を変更し、色度を調整することができる。積層型蛍光体シート２２ａでは、積層型蛍光体シート２２のように、積層型蛍光体シート２２ａを巻き取る必要はないため、発光部２のスペースを有効に利用することができる。
【００５７】
一方、図８は、照明装置１０における別の積層型蛍光体シート２２ｂを示す平面図である。積層型蛍光体シート２２ｂは、Ｘ領域、Ｙ領域、Ｚ領域のセットを４組備え、多角形状に配置されている。積層型蛍光体シート２２ｂは、回転するようになっており、回転角度に応じて、同一領域に光源モジュール２１が配置されるようになっている。図８では、各Ｘ領域に、夫々光源モジュール２１が配置されている。積層型蛍光体シート２２ｂも、上述した積層型蛍光体シート２２，２２ｂと同様の効果を奏する。
【００５８】
また、照明装置１０は、ＬＥＤ電球であったが、シーリングライトであってもよい。図９は、別の照明装置１０Ａを示す図であり、（ａ）は斜視図であり、（ｂ）は平面図である。また、図１０は、図９の照明装置１０Ａの一部を拡大した図であり、（ａ）は図９の（ａ）の一部を拡大した斜視図であり、（ｂ）は図９の（ｂ）の一部を拡大した平面図である。なお、図９，図１０では、発光部のみを示し、グローブカバーを省略している。照明装置１０Ａがシーリングライトの場合、光源モジュール２１は、発光部の中央部の周囲に設けられ、外側に向かって光を出射する。さらに、積層型蛍光体シート２４は、光源モジュール２１を覆うように、光源モジュール２１のさらに外側の光路上に設けられている。さらに、積層型蛍光体シート２２を巻き取るためのロータリーソレノイド２４が設けられている。このように、積層型蛍光体シート２２は、電球型の照明装置１０だけでなく、シーリングライト型の照明装置１０Ａにも適用することができ、同様の効果を奏する。
【００５９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【符号の説明】
【００６０】
１０    照明装置
１０Ａ  照明装置
２１    光源モジュール（光源）
２２    積層型蛍光体シート
２２ａ  積層型蛍光体シート
２２ｂ  積層型蛍光体シート
２３ａ，２３ｂ，２３ｃ  蛍光体シート
２４    ロータリーソレノイド（移動部）
２６    透明シート（基材）
【図１】
2012221763.tif 000003
【図２】
2012221763.tif 000004
【図３】
2012221763.tif 000005
【図４】
2012221763.tif 000006
【図５】
2012221763.tif 000007
【図６】
2012221763.tif 000008
【図７】
2012221763.tif 000009
【図８】
2012221763.tif 000010
【図９】
2012221763.tif 000011
【図１０】
2012221763.tif 000012
【図１１】
2012221763.tif 000013